(57)【特許請求の範囲】
【請求項１】
使用者が着座する着座部と、前記着座部と分離可能な台車部とを備える入浴用車椅子であって、
前記着座部は、背もたれと、該背もたれの側方に配された側方部材と、前記背もたれと前記側方部材との間の角度を切り替える角度切替機構と、を備え、
該角度切替機構は、前記側方部材に取り付けられて下方側が開口するシリンダと、該シリンダに下方側から挿入されるとともに前記背もたれに支持されたピストンと、を備え、
前記シリンダには、外周部に下方へ開口する複数の凹部が互いに周方向へ間隔をあけるように形成され、
前記ピストンには、前記凹部に嵌合可能であるとともに、外周面から外方に突出する突起部が形成され、
前記複数の凹部は、前記側方部材が前記シリンダを軸として前記背もたれの前方側へ回転するときの回転方向前側の第１端部は、前記回転方向と直交し、前記回転方向後側の第２端部は、下方に向かうに従って前記第１端部と離間していて前記突起部が前記凹部を外れて隣の他の凹部に嵌合するようにしたことを特徴とする入浴用車椅子。
【発明の詳細な説明】
【技術分野】
【０００１】
本発明は、入浴用車椅子に関し、特に、使用者が背もたれの側方に倒れることを防止できる入浴用車椅子に関する。
【背景技術】
【０００２】
従来より、車椅子の背もたれやヘッドレストなどの側方に、使用者が背もたれやヘッドレストから側方に倒れることを防止する側方部材が取り付けられている。このような側方部材は、背もたれとの間に所定の角度をなすように設置されており、この角度は調整可能となっている。
例えば、特許文献１に開示された車椅子では、側方部材を背もたれと着脱させることによって、側方部材と背もたれとの間の角度を調整している。
また、特許文献２に開示された車椅子では、側方部材が蝶番によって回動可能に背もたれに取り付けられていて、つまみで蝶番の角度を所定の角度に固定することで、側方部材と背もたれとの間の角度を調整している。
【先行技術文献】
【特許文献】
【０００３】
【特許文献１】特開平９−２０１３９１号公報
【特許文献２】特開２００７−５４１８１号公報
【発明の概要】
【発明が解決しようとする課題】
【０００４】
しかしながら、側方部材と背もたれとの間の角度を調整する際に、特許文献１の車椅子では、側方部材を背もたれと着脱させており、また、特許文献２の車椅子においても、蝶番の角度を調整してつまみで固定しているため、側方部材と背もたれとの間の角度調整に労力がかかっている。
特に、入浴時に使用する入浴用車椅子においては、容易かつ確実に側方部材と背もたれとの間の角度を調整できることが望まれている。
【０００５】
本発明は、上述する問題点に鑑みてなされたもので、側方部材と背もたれとの間の角度を、容易かつ確実に調整することができる入浴用車椅子を提供することを目的とする。
【課題を解決するための手段】
【０００６】
上記目的を達成するため、本発明に係る入浴用車椅子は、使用者が着座する着座部と、前記着座部と分離可能な台車部とを備える入浴用車椅子であって、前記着座部は、背もたれと、該背もたれの側方に配された側方部材と、前記背もたれと前記側方部材との間の角度を切り替える角度切替機構と、を備え、該角度切替機構は、前記側方部材に取り付けられて下方側が開口するシリンダと、該シリンダに下方側から挿入されるとともに前記背もたれに支持されたピストンと、を備え、前記シリンダには、外周部に下方へ開口する複数の凹部が互いに周方向へ間隔をあけるように形成され、前記ピストンには、前記凹部に嵌合可能であるとともに、外周面から外方に突出する突起部が形成され、前記複数の凹部は、前記側方部材が前記シリンダを軸として前記背もたれの前方側へ回転するときの回転方向前側の第１端部は、前記回転方向と直交し、前記回転方向後側の第２端部は、下方に向かうに従って前記第１端部と離間していて前記突起部が前記凹部を外れて隣の他の凹部に嵌合するようにしたことを特徴とする。
【０００７】
本発明では、角度切替機構は、側方部材に取り付けられて下方側が開口するシリンダと、シリンダに下方側から挿入されるとともに背もたれに支持されたピストンと、を備え、シリンダには、外周部に下方へ開口する複数の凹部が互いに周方向へ間隔をあけるように形成され、ピストンには、凹部に嵌合可能であるとともに、外周面から外方に突出する突起部が形成されていることにより、突起部を任意の凹部に挿入させることによって、背もたれと側方部材との間の角度を容易かつ確実に調整することができる。
【０００９】
しかも、複数の凹部は、側方部材が前記シリンダを軸として背もたれの前方側へ回転するときの回転方向前側の第１端部は、回転方向と直交し、回転方向後側の第２端部は、下方に向かうに従って第１端部と離間していることにより、側方部材を前方へ回転させると、凹部の第２端部と突起部とが当接する。
そして、更に側方部材を前方へ回転させると、第２端部が突起部に沿うように上方に変位しながら回転するため、突起部は、凹部から外れて、この凹部と隣り合う他の凹部と嵌合する。このようにして、側方部材と背もたれとの間の角度を容易に切り替えることができる。
【００１０】
また、側方部材に前方から使用者の体重や衝撃などの外力が加わった場合に、側方部材が後方へ回転しようとするが、シリンダの凹部の第１端部と突起部とが当接するため、この方向の回転が拘束され、側方部材と背もたれとの角度を所定の角度に保持することができる。
更に、凹部が下側へ開口されているため、人為的にシリンダを持ち上げて突起部と凹部とを離間させれば、容易に側方部材を後方へ回転させることができる。
【発明の効果】
【００１１】
本発明によれば、背もたれと側方部材との間の角度を容易にかつ確実に調整することができ、入浴用車椅子に着座する使用者や、使用者を介護する介護者が、快適に使用することができる。
また、側方部材を前方へ回転させると、第２端部が突起部に沿うように上方に変位しながら回転するため、突起部は、凹部から外れて、この凹部と隣り合う他の凹部と嵌合する。このようにして、側方部材と背もたれとの間の角度を容易に切り替えることができる。一方、側方部材に前方から使用者の体重や衝撃などの外力が加わった場合に、側方部材が後方へ回転しようとするが、シリンダの凹部の第１端部と突起部とが当接するため、この方向の回転が拘束され、側方部材と背もたれとの角度を所定の角度に保持することができる。
更に、凹部が下側へ開口されているため、人為的にシリンダを持ち上げて突起部と凹部とを離間させれば、容易に側方部材を後方へ回転させることができる。
【図面の簡単な説明】
【００１２】
【図１】本発明の実施形態による入浴用車椅子の一例を示す斜視図である。
【図２】図１に示す入浴用車椅子角度切替機構を示す斜視図である。
【図３】背もたれと側方部材との関係を示す上面図である。
【図４】（ａ）は側方部材を第１方向へ回転させる方法を説明する図で角度切替機構を後側から見た図と下側から見た図、（ｂ）は（ａ）に続く側方部材を第１方向へ回転させる方法を説明する図である。
【図５】（ａ）は図４（ｂ）に続く側方部材を第１方向へ回転させる方法を説明する図、（ｂ）は（ａ）に続く側方部材を第１方向へ回転させる方法を説明する図である。
【図６】（ａ）は側方部材を第２方向へ回転させる方法を説明する図、（ｂ）は（ａ）に続く側方部材を第２方向へ回転させる方法を説明する図である。
【図７】（ａ）は図６（ｂ）に続く側方部材を第２方向へ回転させる方法を説明する図、（ｂ）は（ａ）に続く側方部材を第２方向へ回転させる方法を説明する図である。
【発明を実施するための形態】
【００１３】
以下、本発明の実施形態による入浴用車椅子について、図１乃至図７に基づいて説明する。
図１に示すように、本実施形態による入浴用車椅子１は、使用者（不図示）が着座する着座部２と、着座部２と分離可能に構成され床面を走行可能な台車部３とを備えている。
なお、着座部２と台車部３とを着脱可能とする着脱機構は、公知のものが用いられている。
着座部２は、座面４と、座面４と連続する背もたれ５と、背もたれ５の上部側の両側方に位置し使用者が背もたれ５の側方へ倒れることを防止する一対の側方部材６，６と、背もたれ５と側方部材６との間の角度を調整する一対の角度切替機構７，７と、を備えている。
【００１４】
図２に示すように、角度切替機構７は、側方部材６の一方の側部６ａに取り付けられたシリンダ１１と、背もたれ５に支持されシリンダ１１の内部に挿入されるピストン１２と、シリンダ１１とピストン１２との間に介装されるサスペンション１３とを備えている。
シリンダ１１は、ピストン１２が挿入された状態において、その周方向に回転可能に構成されている。このため、側方部材６は、背もたれ５との間の角度を変えることができる。
また、シリンダ１１は、ピストン１２が挿入された状態において、その軸方向へ変位可能に構成されている。
【００１５】
ここで、図３に示すように、シリンダ１１が回転する方向で、シリンダ１１とともに回転する側方部材６の他方の端部６ｂが、入浴用車椅子１の前方（図中の上方）へ向かう方向を第１方向（図中の矢印Ａの方向）とし、その逆方向を第２方向（図中の矢印Ｂの方向）として以下説明する。
また、一対の角度切替機構７，７は、背もたれ５を中心として左右対称となっているため、一対の角度切替機構７，７における第１方向および第２方向も左右対称となっている。
【００１６】
図２に示すように、シリンダ１１は、略有底筒状に形成され、底部側が反対側よりも上方にとなるように配されている。ここで、この底部側を上端部１１ａとし、反対側を下端部１１ｂとして以下説明する。
シリンダ１１は、側面１１ｃに、下端部１１ｂ側へ開口する複数の凹部２１が周方向に所定の間隔をあけて形成されている。本実施形態では、凹部２１はシリンダ１１の軸を中心に３０°ずつ間隔をあけて１２個形成されている。ここで、これらの凹部２１を第２方向の順番に凹部２１Ａ〜凹部２１Ｌ（図４（ａ）参照）と示す。
【００１７】
凹部２１は、断面形状が下方に開口する略Ｃ字型で、第１方向にある側部の第１側部２２と、第２方向にある側部の第２側部２３と、が異なる形状に形成されている。
第１側部２２は、シリンダ１１の中心軸と略平行で、その端面がシリンダ１１の周方向と略直交するように形成されている。第２側部２３は、上方から下方に向かうにつれて第１側部２２と離間していて、その端面は凹部側へ突出する円弧面状に形成されている。
【００１８】
ピストン１２は、円柱状または円筒状に形成され、その上端部１２ａ側がシリンダ１１の下端部１１ｂ側からシリンダ１１内部へ挿入されている。ピストン１２は、その下端部１２ｂ側が背もたれ５に支持されている。
また、ピストン１２には、下端部１２ｂ近傍の外周面１２ｃに外方に向かって突出する第１ピン（突起部）３１Ａおよび第２ピン（突起部）３１Ｂ（図３参照）が設けられている。第１ピン３１Ａは、ピストン１２に対して背もたれ５の前後方向の前側に設けられ、第２ピン３１Ｂは、ピストン１２に対して背もたれ５の前後方向の後側に設けられている。
また、第１ピン３１Ａおよび第２ピン３１Ｂは、ピストン１２がシリンダ１１の内部に挿入されたときに、シリンダ１１の下端部１１ｂに形成された凹部２１と嵌合可能に構成されている。
【００１９】
次に、背もたれ５と側方部材６との間の角度の調整方法について説明する。
まず、背もたれ５と略同一面上にある状態の側方部材６をシリンダ１１の軸を中心に第１方向へ回転させて、背もたれ５との間の角度を調整する方法について説明する。
ここで、図３示すように、背もたれ５と略同一面上にある状態の側方部材６の位置を位置６Ａと示し、この状態から３０°ずつ第１方向へ回転した状態における側方部材６の各位置を位置６Ｂ，６Ｃ，６Ｄとして以下説明する。
なお、側方部材６は、位置６Ｄに設置されたときに、背もたれ５との間の角度が略直角となっている。
【００２０】
まず、シリンダ１１を第１方向へ回転させて、側方部材６を位置６Ａから位置６Ｂへ移動させる。
側方部材６が位置６Ａにあるときには、図４（ａ）に示すように、シリンダ１１の凹部２１Ａとピストン１２の第１ピン３１Ａとが嵌合し、シリンダ１１の凹部２１Ｇとピストン１２の第２ピン３１Ｂとが嵌合している。
そして、シリンダ１１が第１方向へ回転すると、凹部２１Ａの第２側部２３が第１ピン３１Ａと当接し、凹部２１Ｇの第２側部２３が第２ピン３１Ｂと当接する。
そして、第２側部２３は、上方から下方に向かうにつれて第１側部２２と離間していて、その端面は凹部２１側へ突出する円弧面状に形成されているとともに、シリンダ１１が上下方向に移動可能であるため、更にシリンダ１１を第１方向に回転させると、図４（ｂ）に示すように、第２側部２３と第１ピン３１Ａ，第２ピン３１Ｂとが互いにすべり、シリンダ１１は第１方向に回転しながら上方に向かって移動する。
【００２１】
そして、更にシリンダ１１を回転させると、図５（ａ）に示すように、シリンダ１１の下端部１１ｂと第１ピン３１Ａ，第２ピン３１Ｂの上部とが当接する。そして、隣り合う凹部２１Ａと凹部２１Ｌとの間の凸部２４Ａが第１ピン３１Ａを超えるとともに、隣り合う凹部２１Ｇと凹部２１Ｆとの間の凸部２４Ｇが第２ピン３１Ｂを超える。
これにより、図５（ｂ）に示すように、凹部２１Ｌと第１ピン３１Ａとが嵌合し、凹部２１Ｆと第２ピン３１Ｂとが勘合する。
このようにして、側方部材６は、位置６Ｂへ移動し、背もたれ５との角度が調整される。
【００２２】
そして、側方部材６を位置６Ａから位置６Ｂへ移動させた動作と同様に、側方部材６を位置６Ｂから位置６Ｃ（図３参照）、位置６Ｃから位置６Ｄ（図３参照）へ移動させ、背もたれ５との間の角度が略直角となるように角度を調整する。
このとき、図４に示す第１ピン３１Ａと凹部２１Ｊとが嵌合し、第２ピン３１Ｂと凹部２１Ｄとが嵌合している。
【００２３】
また、この状態において、入浴用車椅子１に着座した使用者が側方部材６へ寄りかかるなど、側方部材６が第２方向へ加力された場合、第１ピン３１Ａと凹部２１Ｊの第１側部２２とが当接するとともに第２ピン３１Ｂと凹部２１Ｄの第１側部２２とが当接するため、シリンダ１１の回転が拘束され、側方部材６は、位置６Ｄからずれずに、背もたれ５との角度を保持することができる。
【００２４】
次に、側方部材６を第２方向へ移動させる方法について説明する。
ここでは、位置６Ｂにある側方部材６を位置６Ａに移動させる方法について説明する。
まず、側方部材６が位置６Ｂに位置しているときは、第１ピン３１Ａと凹部２１Ｌとが嵌合している状態で、シリンダ１１を第２方向へ回転させると、第１ピン３１Ａと凹部２１Ｌの第１側部２２とが当接する。そして、第１側部２２は、シリンダ１１の中心軸と略平行に形成されているため、第１ピン３１Ａと凹部２１Ｌの第１側部２２とが当接するとシリンダ１１の回転が阻止される。
【００２５】
このため、シリンダ１１を上方へ引き上げて、第１ピン３１Ａを凹部２１Ｌからはずし、このシリンダ１１が引き上げられた状態を保持しながら第２方向へ回転させる。
そして、側方部材６が位置６Ａとなるように、シリンダ１１を第２方向へ回転させ、第１ピン３１Ａを凹部２１Ａと嵌合させる。
このようにして、側方部材６が位置６Ｂから位置６Ａへ移動する。
なお、上述した側方部材６を第２方向へ移動させる方法では、側方部材６を位置６Ｂから位置６Ａへ移動させているが、他の位置間での側方部材６移動についても同様に行うことができる
【００２６】
次に、上述した入浴用車椅子１の作用について図面を用いて説明する。
本実施形態の入浴用車椅子１によれば、背もたれ５の側方に設けられた側方部材６が、背もたれ５との間の角度を変えることができる。これにより、側方部材６を使用者が背もたれ５からずれない位置（例えば位置６Ｄ）に設置することができるとともに、使用者の側方をケアしやすい位置（例えば位置６Ａ）に設置することができ、使用者や介護者が快適に使用することができる。
【００２７】
そして、角度切替機構７は、３０°毎に角度を切り替えることができるとともに、シリンダ１１を回転させて第１ピン３１Ａおよび第２ピン３１Ｂを凹部２１と嵌合させる簡便な作業で角度を変更することができるため、背もたれ５と、側方部材６との間の角度を容易にかつ簡便に変更することができる。
また、側方部材６にかかる第２方向からの荷重によって、設定された背もたれ５と側方部材６との間の角度が変化することないため、使用中にこの角度が変化することがなく安全性を高めることができる。
【００２８】
以上、本発明による車椅子の実施形態について説明したが、本発明は上記の実施形態に限定されるものではなく、その趣旨を逸脱しない範囲で適宜変更可能である。
例えば、上述した実施形態では、背もたれ５の上部側の両側方に側方部材６，６が設けられているが、背もたれ５の下部側の側方に側方部材６，６が設けられていてもよい。
また、上述した実施形態では、シリンダ１１には、１２個の凹部２１が周方向へ３０度ずつ間隔をあけて形成されているが、凹部２１の数や、間隔は任意に設定されてよい。
また、上述した実施形態では、ピストン１２には、第１ピン３１Ａおよび第２ピン３１Ｂの２つのピン（突起部）が設置されているが、ピンの数は１つでもよく。３つ以上であってもよい。
また、上述した実施形態では、側方部材６は、位置６Ａに設置されたときに背もたれ５と略同一面上にある状態となり、位置６Ｄに設置されたときに背もたれ５との間の角度が略直角となっているが、位置６Ａに設置されたときに背もたれ５と略同一面上にある状態とならなくてもよく、位置６Ｄに設置されたときに背もたれ５との間の角度が略直角とならなくてもよい。
【符号の説明】
【００２９】
１  入浴用車椅子
２  着座部
３  台車部
４  座面
５  背もたれ
６  側方部材
７  角度切替機構
１１  シリンダ
１２  ピストン
２１，２１Ａ〜２１Ｊ  凹部
２２  第１側部（第１端部）
２３  第２側部（第２端部）
３１Ａ  第１ピン（突起部）
３１Ｂ  第２ピン（突起部）
【図１】
0005572503.tif 000002
【図２】
0005572503.tif 000003
【図３】
0005572503.tif 000004
【図４】
0005572503.tif 000005
【図５】
0005572503.tif 000006
【図６】
0005572503.tif 000007
【図７】
0005572503.tif 000008